(57)【要約】【課題】  キャップ体下部上へ、蓋体としてのキャップ体上部を、ヒンジを介して付設したキャップにおいて、該キャップを嵌合させる容器体内収納物について記憶しておきたい、使用開始日等の数字ないし該数字に代わる一連の文字等をキャップ上面へ固着板を使用して表示させておくことが可能とすると共に、その固着板を不正開蓋防止機構としても利用可能に形成した。【解決手段】  上記キャップ体上部21b が形成する蓋体の頂板22上へ第１嵌着手段26を設けて、その周縁へ上記複数の数字等を記すると共に、蓋体短周壁23の前面下部とキャップ体下部21a の前面上部とにかけて、上記第１嵌着手段26へ嵌着可能な、指示マーク27付きの固着板28を付設した。【選択図】  図１
2006124001.tif 000002
【特許請求の範囲】
【請求項１】
容器体口頸部の上部へ嵌着させるキャップ体下部と、該下部上面を閉塞する蓋体としてのキャップ体上部とを、各後部でヒンジ連結させて一体成形した合成樹脂製キャップにおいて、
上記蓋体を頂板22外周から短周壁23を垂下して形成し、頂板22上面へ、凹凸いずれかの第１嵌着手段26を付設し、又上記ヒンジ24と対向する短周壁23前面下部ないしキャップ体下部21a の周壁前面上部へは、上記第１嵌着手段26と嵌着させる第２嵌着手段31を表裏両面の一面に有する固着板28を破断用部を介して付設し、
上記第１嵌着手段外周ないしは固着板の外面外周へ、時計の文字盤状に複数の数字ないし該数字に代わる一連の文字等を配設すると共に
他方には、上記数字等の一つを指示させる指示マーク27を付設した
ことを特徴とする合成樹脂製キャップ。
【請求項２】
上記固着板28を眞円板で形成しておき、第１嵌着手段26は眞円の凹部で、第２嵌着手段31は固着板28の外周で、それぞれ形成した
ことを特徴とする、請求項１記載の合成樹脂製キャップ。
【請求項３】
上記短周壁23の前面下端へ蓋体開蓋用指掛け突条30を付設すると共に、該突条30下方のキャップ体下部周壁上部前面へ固着板28の下部を付設し、該固着板上部に付形した係合突条下面を上記指掛け突条30上面へ係合させた
ことを特徴とする、請求項１又は２記載の合成樹脂製キャップ。
【発明の詳細な説明】
【技術分野】
【０００１】
本発明は容器体口部へ嵌合させる、合成樹脂製のキャップに関する。
【背景技術】
【０００２】
キャップを、キャップ体下部とキャップ体上部とで形成して、キャップ体下部の周壁を容器体口頸部の上部外面へ嵌合させると共に該キャップ体下部の上板からはプルリングを起立させ、キャップ体上部は頂板外周から短周壁を垂下させて形成し、それ等上下両部を後面側でヒンジ連結して一体成形した合成樹脂製キャップが知られている（特許文献１）。
【特許文献１】実用新案登録公報第２５３８３７１号
【発明の開示】
【発明が解決しようとする課題】
【０００３】
上記キャップを嵌合させる容器体内へは例えば賞味期限付きの液体等を収納するが、該期限は容器体胴部外面へ貼付されたレッテル等で表示するだけであり、見逃すことが多い。その他消費者にあっては容器体収納物使用量の目安とするために、上記収納物の使用開始日、ないし使用終了予定日等を記憶したい場合がある。
【０００４】
本発明は上記のような容器体内収納物に関する記憶したい月日等を容器体キャップ上面へ容易に記録できるようにしたものであり、併せてその記録に使用する固着板に不正開蓋防止機能を持たせたものである。
【課題を解決するための手段】
【０００５】
第１の手段として容器体口頸部の上部へ嵌着させるキャップ体下部と、該下部上面を閉塞する蓋体としてのキャップ体上部とを、各後部でヒンジ連結させて一体成形した合成樹脂製キャップにおいて、上記蓋体を頂板22外周から短周壁23を垂下して形成し、頂板22上面へ、凹凸いずれかの第１嵌着手段26を付設し、又上記ヒンジ24と対向する短周壁23前面下部ないしキャップ体下部21a の周壁前面上部へは、上記第１嵌着手段26と嵌着させる第２嵌着手段31を表裏両面の一面に有する固着板28を破断用部を介して付設し、
上記第１嵌着手段外周ないしは固着板の外面外周へ、時計の文字盤状に複数の数字ないし該数字に代わる一連の文字等を配設すると共に
他方には、上記数字等の一つを指示させる指示マーク27を付設した。
【０００６】
第２の手段として、上記第１の手段を有し、かつ上記固着板28を眞円板で形成しておき、第１嵌着手段26は眞円の凹部で、第２嵌着手段31は固着板28の外周で、それぞれ形成した。
【０００７】
第３の手段として、上記第１又は第２の手段を有し、かつ上記短周壁23の前面下端へ蓋体開蓋用指掛け突条30を付設すると共に、該突条30下方のキャップ体下部周壁上部前面へ固着板28の下部を付設し、該固着板上部に付形した係合突条下面を上記指掛け突条30上面へ係合させた。
【発明の効果】
【０００８】
請求項１のように蓋体の頂板の第１嵌合部内へ、複数の数字等の一つを指示マーク27で指示させて固着板28の第２嵌着手段31を嵌着させることで、消費者は始めに述べたような記憶したい月、日等を表示させることを簡易に行うことが出来、又固着板28は蓋体が有する短周壁23の前面下部、ないしキャップ体下部21a の周壁前面上部へ破断用部を介して付設するから、その固着板28を破断し取外さない限り、ヒンジ24を中心とする蓋体短周壁23の前部押上げによる開蓋が出来ないこととなり、よって固着板28で不正開蓋を防止できるものである。
【０００９】
請求項２記載のようにすることで、固着板の指示マーク27が蓋体頂板の複数数字等の一つを指示する状態で第１嵌着手段26内へ固着板の第２嵌合手段31を確実に、かつ容易に嵌着させることが出来る。
【００１０】
請求項３のようにすることで、固着板28に不正開蓋防止機能を持たせることが出来る。
【発明を実施するための最良の形態】
【００１１】
まず、図１から図４が示す実施形態について説明する。１は容器体、２はその口頸部であり、該口頸部の上部外面へは凹溝を周設し、該凹溝下方はテーパ状の大外径部としている。
【００１２】
11はプルリング付きの口栓で、その外周壁12を上記口頸部の上部外面へ嵌合させ、その外周壁上端から内向きフランジ状壁を突出し、かつ該内向きフランジ状壁内端から口頸部内面へ嵌合させて内壁を垂下し、該内壁下端内面に閉塞板13を横設し、該閉塞板外周からはノズル14を、又該ノズル内方一部から支持棒15を起立させ、該棒上端からプルリング16を横方向へ突出し、該プルリング上方引上げでノズル内方閉塞板部分を切断し、剥離して注出口を形成できるよう設けている。
【００１３】
21はキャップで、該キャップは上記口栓の外周壁外面へ嵌着させたキャップ体下部21a と該下部上へ載置させた、蓋体としてのキャップ体上部21b とからなる。
【００１４】
図示例でキャップ体下部は筒状としているが、該下部は、既述特許文献のように上記プルリング付き口栓11と一体成形してもよい。
【００１５】
キャップ体上部21b は、頂板22外周から短周壁23を垂下し、該短周壁の一部下端とキャップ体下部の上端一部とをヒンジ24で連結してそれ等キャップ体上部と下部とを合成樹脂材で一体成形している。キャップ体下部上端へは短周壁23の下端内面を嵌合させるが、図示例のように既述口栓の内向きフランジ外周へ突部17を周設し、該突部上端外面へ周設した凹溝内面へ嵌合させることで、間接にキャップ体下部外面へ短周壁23を嵌合させてもよい。尚頂板下面からは、既述ノズル内面へ水密に嵌合させてシール筒25を垂下している。    
【００１６】
頂板22の中央部上面へは眞円で凹状の第１嵌着手段26を設けており、該第１嵌着手段外周の頂板部分上面へは、時計の文字盤状に１から１２までの数字をほぼ等間隔に配設させている。又キャップ体下部の上部前面とキャップ体上部の短周壁前面との部分へは上記第１嵌着手段内へ嵌着させる、指示マーク27付きの固着板28を付設する。図示例では固着板の下部内面へ突条29を横設してその先端を破断用の肉薄部を介してキャップ体下部前面へ付設し、又固着板の内面上部へは正三角形状の指示マーク27を、その下辺を水平として付設し、その下辺が形成する下向き段部を、短周壁前面下端へ横設した指掛け突条30上面へ係合させてキャップ体上部の開蓋を防止している。
【００１７】
消費者が容器内液体等を使用する際は、上記固着板28を破断除去し、該固着板を、第１嵌着手段26内へ、指示マーク27頂角を記憶したい月又は日に合わせて嵌着すればよい。図示例では固着板も第１嵌着手段とほぼ同径の眞円板とし、その固着板外周を第２嵌着手段31としている。
【００１８】
図５から図７は第２実施形態を示す。第１実施形態と同一部分については同一符号を付することで説明を省略し、相違部分についてだけ説明すると、第１嵌着手段26としての眞円形凹部内中心からは突部41を起立させている。又固着板28は内面下部に付設した突部先端をキャップ体下部前面上部へ破断用部を介して付設し、その内面上部からは指掛け突条30上面へ係合させた突条42を突出し、指示マーク27は球面状とした固着板外面外周部へ付形している。
【００１９】
該第２実施形態の場合は、上記両突部を第１嵌着手段中央の突部41の両側へ位置させ、球面状とした固着板上面を、頂板上面側へ位置させて固着板を第１嵌着手段26内へ嵌着する。
【００２０】
図８は第３実施形態、図９は第４実施形態で、これ等についても第１、第２実施形態と同一部分については同一符号を付することで説明を省略し、相違部分についてだけ説明する。
【００２１】
第３実施形態にあっては、短周壁23前面下端へ固着板28中心を破断用部を介して付設し、その下方のキャップ体前面上部を切欠き43して、該切欠き上面を形成する短周壁部分下端面を指掛けとしている。
【００２２】
該実施形態の場合は、固着板28下部を上記切欠き43内へ押込み、該状態から外方へ傾き、短周壁前面から離れた固着板上部を外方へ引くことで、固着板28の取外しが容易としている。
【００２３】
第４実施形態としての図９にあっては、指掛け突条30前面へ、固着板28の内面を破断用部を介して付設している。
【００２４】
既述各実施形態において、第１嵌合手段26を凹部としたが、該凹部に代えて凸部で形成し、第２嵌合手段31をその凸部を嵌着できる凹部で形成することが出来る。又数字等を固着板28の外面外周へ、又指示マーク27を頂板22の第１嵌着手段26外方へ、それぞれ設けてもよい。
【００２５】
既述数字は、一部の時計文字盤でみられるように、例えば３、６、９、１２の主要数字だけを記載してその他の数字は省いてもよく、又容器体内収納物によっては１週間を示す１から７までの数字に代わる一連の代用文字、例えば月曜から日曜までを記載してもよい。該代用文字としては春、夏、秋、冬等の季節を表示する一連の文字も考えることが出来る。
【図面の簡単な説明】
【００２６】
【図１】本発明キャップの縦断面図である。
【図２】図１キャップの平面図である。
【図３】図１キャップの前面図である。
【図４】図１キャップの斜視図である。
【図５】第２実施形態で示すキャップ断面図である。
【図６】図５キャップの平面図である。
【図７】図５キャップの斜視図である。
【図８】第３実施形態で示すキャップの断面図である。
【図９】第４実施形態で示すキャップの断面図である。
【符号の説明】
【００２７】
11  口栓                            21  キャップ
21a キャップ体下部                  21b キャップ体上部
22  頂板                            23  短周壁
24  ヒンジ                          26  第１嵌着手段
27  指示マーク                      28  固着板
30  指掛け突条                      43  切欠き
【図１】
2006124001.tif 000003
【図２】
2006124001.tif 000004
【図３】
2006124001.tif 000005
【図４】
2006124001.tif 000006
【図５】
2006124001.tif 000007
【図６】
2006124001.tif 000008
【図７】
2006124001.tif 000009
【図８】
2006124001.tif 000010
【図９】
2006124001.tif 000011